(57)【要約】【課題】在室の有無を考慮すると共に、効率的にエネルギ消費量を抑制することを目的とする。【解決手段】各住戸３０内の住人が所有する携帯電話４２の電波の有無を検出する携帯電話検知センサ４０によって携帯電話４２の有無を検知して、検知結果に基づいてコントロールユニット３６がスイッチ３８を制御することにより、在宅時に家電機器４４への電力供給を行い、不在時には家電機器４４への電力供給を遮断する。また、コントロールユニット３６が、スイッチ３８をオンして家電機器４４へ電力供給を行う際に、蓄電池の残量検出結果を分配制御装置２０から取得して、蓄電池１８の残量に応じて、複数の家電機器４４のうち電力供給する家電機器４４を決定して電力供給を行う。【選択図】図２
2012244662.tif 000002
【特許請求の範囲】
【請求項１】
少なくとも深夜電力を蓄電する蓄電池と、
前記蓄電池の残量を検知する残量検知手段と、
携帯端末から発せられる電波の有無を検出する検出手段と、
前記蓄電池の蓄電電力及び前記蓄電電力とは異なる他の電力の少なくとも一方の電力を電力供給源として選択する選択手段と、
複数の家電機器それぞれへの電力供給と電力遮断との切り換えを行う切換手段と、
前記検出手段によって前記電波が検出された場合に、複数の前記家電機器のうち前記残量検知手段によって検出された前記残量に応じて予め定めた家電機器へ前記蓄電電力を供給し、前記蓄電池の残量が不足する場合には前記他の電力を選択して供給するように、前記選択手段及び前記切換手段を制御し、前記検出手段によって前記電波が検出されなくなった場合には、前記家電機器への電力供給を遮断するように前記切換手段を制御する制御手段と、
を備えた電力供給システム。
【請求項２】
前記制御手段は、前記検出手段によって前記電波が検出されなくなった場合に、前記家電機器への電力供給を遮断するように前記切換手段を制御した後に、前記蓄電池への充電を開始するように更に制御する請求項１に記載の電力供給システム。
【請求項３】
予め定めた起床時間及び予め定めた就寝時間を含む電力使用時間帯を予測する予測手段を更に備え、
前記制御手段が、前記検出手段検出結果に関わらず、前記予測手段によって前記起床時間が予測された場合に前記家電機器への電力供給を開始し、前記予測手段によって前記就寝時間が予測された場合に前記家電機器の電力遮断を行うように、前記切換手段を更に制御する請求項１又は請求項２に記載の電力供給システム。
【請求項４】
前記制御手段は、前記家電機器への電力遮断を行うように前記切換手段を制御した場合に、前記蓄電池を深夜電力で充電開始するように更に制御する請求項１〜３の何れか１項に記載の電力供給システム。
【請求項５】
前記他の電力は、太陽光発電装置による発電電力、自動車に搭載された車両用蓄電池の蓄電電力、及び商用電力の少なくとも１つの電力を含む請求項１〜４の何れか１項に記載の電力供給システム。
【請求項６】
前記制御手段は、前記蓄電池の残量が不足する場合に前記他の電力を供給するように制御する際に、太陽光発電装置による発電電力を前記他の電力として前記家電機器へ供給し、電力が不足するときには前記他の電力として自動車に搭載された車両用蓄電池の蓄電電力を前記家電機器へ供給し、さらに電力が不足するときには、前記他の電力として商用電力を前記家電機器へ供給するように制御する請求項１〜４の何れか１項に記載の電力供給システム。
【発明の詳細な説明】
【技術分野】
【０００１】
本発明は、電力供給システムにかかり、特に、発電電力や蓄電電力等の種々の電力を住宅へ供給する際の制御を行う電力供給システムに関する。
【背景技術】
【０００２】
近年、太陽光発電装置等の発電装置の電力や蓄電池に蓄電した電力等の系統電力以外の電力を住宅内へ供給する種々の技術が提案されている。
【０００３】
例えば、特許文献１に記載の技術では、商用電源、発電装置及び蓄電装置を含む電力源からの電力を、電力制御装置を介して調停サーバ及び各家電へ供給するように構成し、家電から電力供給要求があると、調停サーバが、家電の要求電力と電力源の供給可能電力とに基づいて、電力供給を許可するかどうかかを判断して、その判断結果を家電に通知して、家電の消費電力及び電力供給側の能力に基づいて電力供給を制御することが提案されている。
【先行技術文献】
【特許文献】
【０００４】
【特許文献１】特開２０１０−１９３５６２号公報
【発明の概要】
【発明が解決しようとする課題】
【０００５】
しかしながら、特許文献１に記載の技術では、在室の有無などは考慮していないので、不在時の待機電力などの無駄な電力を低減することを考えると、在室の有無を考慮した上で電力供給を制御する必要があり、改善の余地がある。
【０００６】
本発明は、上記事実を考慮して成されたもので、在室の有無を考慮すると共に、効率的にエネルギ消費量を抑制することを目的とする。
【課題を解決するための手段】
【０００７】
上記目的を達成するために請求項１に記載の発明は、少なくとも深夜電力を蓄電する蓄電池と、前記蓄電池の残量を検知する残量検知手段と、携帯端末から発せられる電波の有無を検出する検出手段と、前記蓄電池の蓄電電力及び前記蓄電電力とは異なる他の電力の少なくとも一方の電力を電力供給源として選択する選択手段と、複数の家電機器それぞれへの電力供給と電力遮断との切り換えを行う切換手段と、前記検出手段によって前記電波が検出された場合に、複数の前記家電機器のうち前記残量検知手段によって検出された前記残量に応じて予め定めた家電機器へ前記蓄電電力を供給し、前記蓄電池の残量が不足する場合には前記他の電力を選択して供給するように、前記選択手段及び前記切換手段を制御し、前記検出手段によって前記電波が検出されなくなった場合には、前記家電機器への電力供給を遮断するように前記切換手段を制御する制御手段と、を備えることを特徴としている。
【０００８】
請求項１に記載の発明によれば、蓄電池には、少なくとも深夜電力で充電した電力が蓄電される。なお、深夜電力以外には、太陽光発電装置等の発電電力を蓄電するようにしてもよいし、他の電力を蓄電するようにしてもよい。
【０００９】
残量検知手段では、蓄電池の残量が検知され、検出手段では、携帯端末（例えば、携帯電話など）から発せられる電波の有無が検出される。
【００１０】
また、選択手段では、蓄電池の蓄電電力及び蓄電電力とは異なる他の電力の少なくとも一方の電力が電力供給源として選択される。例えば、家電機器等へ電力を供給する際の電力供給源を選択手段によって選択することができる。
【００１１】
また、切換手段では、複数の家電機器それぞれへの電力供給と電力遮断の切り換えが行われる。例えば、照明やテレビなどの常時電力供給する必要のない複数の家電機器それぞれへの電力供給と電力遮断を切換手段によって切り換えることが可能となる。
【００１２】
そして、制御手段では、検出手段によって電波が検出された場合に、複数の家電機器のうち残量検知手段によって検出された残量に応じて予め定めた家電機器へ蓄電電力を供給し、蓄電池の残量が不足する場合には他の電力を供給するように、選択手段及び切換手段が制御され、検出手段によって電波が検出されなくなった場合には、家電機器への電力供給を遮断するように切換手段が制御される。
【００１３】
すなわち、携帯端末の電波が検出されている場合には在室と判断して家電機器へ電力供給を行って、携帯端末の電波が検出されない場合には不在と判断できるので、家電機器への電力供給が遮断されることにより、待機電力等の不要な電力消費を抑制することができる。また、家電機器へ電力供給を行う場合には、蓄電池の残量に応じた家電機器へ電力供給が行われるので、蓄電池の残量に応じた電力供給が可能となり、効率的に蓄電電力を利用することができる。従って、在室の有無を考慮すると共に、効率的にエネルギ消費量を抑制することができる。
【００１４】
制御手段は、請求項２に記載の発明のように、検出手段によって携帯端末の電波が検出されなくなった場合に、家電機器への電力供給を遮断するように切換手段を制御した後に、蓄電池への充電を開始するように更に制御するようにしてもよいし、請求項４に記載の発明のように、家電機器への電力遮断を行うように切換手段を制御した場合に、蓄電池を深夜電力で充電開始するように更に制御するようにしてもよい。
【００１５】
なお、請求項３に記載の発明のように、予め定めた起床時間及び予め定めた就寝時間を含む電力使用時間帯を予測する予測手段を更に備えて、制御手段が、検出手段の検出結果に関わらず、予測手段によって起床時間が予測された場合に家電機器への電力供給を開始し、予測手段によって就寝時間が予測された場合に家電機器の電力遮断を行うように、切換手段を更に制御するようにしてもよい。これによって時間に応じた最適かつ効率的な電力供給制御が可能となる。
【００１６】
また、上述の他の電力としては、請求項５に記載の発明のように、太陽光発電装置による発電電力、自動車に搭載された車両用蓄電池の蓄電電力、及び商用電力の少なくとも１つの電力を適用することができる。
【００１７】
また、制御手段は、請求項６に記載の発明のように、蓄電池の残量が不足する場合に他の電力を供給するように制御する際に、太陽光発電装置による発電電力を他の電力として家電機器へ供給し、電力が不足するときには他の電力として自動車に搭載された車両用蓄電池の蓄電電力を前記家電機器へ供給し、さらに電力が不足するときには、他の電力として商用電力を前記家電機器へ供給するように制御するようにしてもよい。
【発明の効果】
【００１８】
以上説明したように本発明によれば、携帯端末の電波が検出された場合に、複数の家電機器のうち蓄電池の残量に応じて予め定めた家電機器へ蓄電電力を供給して、蓄電池の残量が不足する場合には他の電力を供給するように制御し、携帯端末の電波が検出されなくなった場合には、家電機器への電力供給を遮断するように制御することにより、在室の有無を考慮すると共に、効率的にエネルギ消費量を抑制することができる、という効果がある。
【図面の簡単な説明】
【００１９】
【図１】本発明の実施の形態に係わる電力供給システムの概略構成を示すブロック図である。
【図２】本発明の実施の形態に係わる電力供給システムの各住戸内の構成を示す図である。
【図３】蓄電池残量に応じて電力供給する家電機器を制御するためのテーブルの一例を示す図である。
【図４】本発明の実施の形態に係わる電力供給システムのコントロールユニットで行われる自動オンオフ制御の流れの一例を示すフローチャートである。
【図５】本発明の実施の形態に係わる電力供給システムのコントロールユニットで行われる時間帯制御の流れの一例を示すフローチャートである。
【発明を実施するための形態】
【００２０】
以下、図面を参照して本発明の実施の形態の一例を詳細に説明する。図１は、本発明の実施の形態に係わる電力供給システムの概略構成を示すブロック図である。なお、図１中の点線は電力の流れを示す。
【００２１】
図１に示すように、本発明の実施の形態に係わる電力供給システム１０は、複数の入居者が入居する集合住宅１２に設けられ、集合住宅１２への電力供給を制御する。
【００２２】
電力供給システム１０は、太陽光発電装置１４の発電電力、蓄電池１８の蓄電電力、商用電源２２からの電力、及び自動車２６に搭載された車両用蓄電池２８の蓄電電力を電力供給源として各住戸へ供給することが可能とされている。本実施の形態では、基本的には、蓄電池１８は電力料金が他の時間帯よりも安い深夜や太陽光発電装置１４の発電電力を用いて充電した蓄電池１８の蓄電電力を優先的に供給し、蓄電電力が不足する場合に、太陽光発電装置１４による発電電力、車両用蓄電池２８の蓄電電力、商用電源２２からの電力の優先順に従って各電力を供給するものとして説明するが、これに限定されるものではない。
【００２３】
各電力供給源は、分配制御装置２０に接続されており、分配制御装置２０によって供給する電力が選択されて、各住戸へ供給されるようになっている。
【００２４】
さらに詳細には、太陽光発電装置１４の発電電力は、パワーコントロールユニット１６へ供給され、各住戸へ供給する場合にはパワーコントロールユニット１６によって直流電力が交流電力に変換されて分配制御装置２０へ供給され、分配制御装置２０によって各住戸３０へ分配される。また、発電電力で蓄電池１８や車両用蓄電池２８を充電する場合には、直流電力のまま蓄電池１８や車両用蓄電池２８を充電する。
【００２５】
なお、車両用蓄電池２８への充電及び車両用蓄電池２８からの各住宅３０への電力供給は、充電スタンド２４を介して行われる。また、車両用蓄電池２８から各住戸３０へ電力を供給する場合には、基本的には、各住宅の入居者が所有する自動車２６の車両用蓄電池２８から各自の住戸へ供給するものとするが、場合によっては自動車２６の所有者に係わらず電力を供給するようにしてもよい。
【００２６】
続いて、各住戸３０の電力供給を制御する構成について説明する。図２は、本発明の実施の形態に係わる電力供給システム１０の各住戸３０内の構成を示す図である。なお、図２中の点線は電力の流れを示し、実線は情報の流れを示す。
【００２７】
各住戸３０は、図２に示すように、それぞれコントロールユニット３６を備えており、コントロールユニット３６によって各住戸３０内の電力供給が制御される。
【００２８】
コントロールユニット３６には、電力計３２及び分電盤３４を介して分配制御装置２０から電力が供給される。コントロールユニット３６に供給された電力は、各住戸３０に設けられた複数の家電機器４４、４６へ供給されるようになっている。
【００２９】
また、各住戸３０の複数の家電機器４６は、冷蔵庫等の常時通電が必要な家電と、照明やテレビ等のようにオフ可能な家電機器４４があり、本実施の形態では、オフ可能な家電機器４４については、コントロールユニット３６の制御によってオンオフが可能なスイッチ３８を介して接続されている。すなわち、オフ可能な家電機器４４については、コントロールユニット３６がスイッチ３８を制御することによって家電機器４４への電力供給と遮断を制御することができる。
【００３０】
なお、それぞれの家電機器４４への電力供給及び電力遮断は、１つのスイッチ３８で行うようにしてもよいし、分岐ブレーカ毎にスイッチ３８を設けて分岐ブレーカ毎に電力供給と遮断を制御可能な構成としてもよいし、或いは、各家電機器４４のコンセント毎にスイッチ３８を設けて各家電機器４４毎に電力供給と遮断を制御可能な構成としてもよい。
【００３１】
また、コントロールユニット３６には、各住戸３０内の住人が所有する携帯電話４２の電波の有無を検出する携帯電話検知センサ４０が接続されており、携帯電話検知センサ４０の検知結果がコントロールユニット３６に入力されるようになっている。本実施の形態では、携帯電話４２の有無を検知して、コントロールユニット３６がスイッチ３８を制御することにより、携帯電話４２等の携帯端末から発せられる電波（以下、携帯電波と賞する。）が検出される在宅時に家電機器４４への電力供給を行い、携帯電波が検出されない不在時には家電機器４４への電力供給を遮断するようになっている（以下、自動オンオフ制御と称す場合がある）。
【００３２】
さらに、コントロールユニット３６は、スイッチ３８をオンして家電機器４４へ電力供給を行う際には、蓄電池１８の残量検出結果を分配制御装置２０から取得して、蓄電池１８の残量に応じて、複数の家電機器４４のうち電力供給する家電機器４４を決定して電力供給を行うようになっている。なお、本実施形態では、蓄電池１８の残量は分配制御装置２０が検出するものとして説明するが、これに限るものではなく、例えば、別途専用の残量検出センサを設けるようにしてもよい。
【００３３】
蓄電池１８の残量に応じて電力供給する家電機器４４の決定は、例えば、図３に示すように、蓄電池１８の残量に応じて残量レベルを予め定めると共に、予め定めた残量レベル毎に供給先を予め定めてテーブルとしてコントロールユニット３６に記憶しておくことにより、レベルに応じて電力供給する家電機器４４を決定して電力供給を制御することができる。
【００３４】
なお、図３の例では、蓄電池１８の残量が７０〜１００％の場合にレベル１として照明、テレビ、及びその他へ電力供給し、蓄電池１８の残量が４０〜６９％の場合にレベル２として照明及びテレビへ電力供給し、蓄電池１８の残量が１０〜３９％の場合にレベル３として照明へ電力供給する場合のテーブルを示すが、残量やレベルはこれに限るものではない。
【００３５】
さらに、コントロールユニット３６は、携帯電話４２の有無に応じて家電機器４４への電力供給と遮断を行う上述の自動オンオフ制御以外に、電力使用時間帯を予測して、予測した時間帯毎に電力供給を制御する時間帯制御を行うようになっている。
【００３６】
時間帯制御は、具体的には、予め定めた起床時間が予測された場合に朝モードへ移行してスイッチ３８をオンして家電機器４４への電力供給を開始し、予め定めた昼の時間が予測された場合には昼モードへ移行して上述の自動オンオフ制御を行い、予め定めた就寝時間が予測された場合には夜モードへ移行して、スイッチ３８をオフして家電機器４４への電力供給を自動的に遮断するようになっている。各時間の予測は、デフォルトは予め定めた時間になったかを判断することにより、それぞれ起床時間、昼時間、及び就寝時間を予測する、そして、所定期間の平均等を求めることにより、起床時間、昼時間、及び就寝時間を実生活に合わせて学習して変更する。学習の行う際には、例えば、コントロールユニット３６の操作部等を介して行われるモードの修正操作（例えば、就寝モードで電力が自動的に遮断された場合に電力復帰操作等が行われたか否か等）などを学習して、起床時間、昼時間、及び就寝時間を変更するようにしてもよい。
【００３７】
続いて、上述のように構成された本発明の実施の形態に係わる電力供給システム１０で行われる具体的な処理について説明する。
【００３８】
まず、コントロールユニット３６で行われる上述の自動オンオフ制御の具体的な処理について説明する。図４は、本発明の実施の形態に係わる電力供給システム１０のコントロールユニット３６で行われる自動オンオフ制御の流れの一例を示すフローチャートである。
【００３９】
ステップ１００では、携帯電波を検出したか否か判定される。該判定は携帯電話検知センサ４０によって各住宅３０内で携帯電話４２の電波を検知したか否かを判定することにより、在室か否かを判定し、該判定が肯定されるまで待機してステップ１０２へ移行する。
【００４０】
ステップ１０２では、蓄電池１８の残量検出結果が分配制御装置２０から取得されてステップ１０４へ移行する。
【００４１】
ステップ１０４では、蓄電池１８の残量レベルがレベル１か否か判定される。該判定は、例えば、図３のテーブルの蓄電池１８の残量に従って判定され、該判定が肯定された場合にはステップ１０６へ移行し、否定された場合にはステップ１０８へ移行する。
【００４２】
ステップ１０６では、レベル１に対応する家電機器４４へ電力が供給されるようにスイッチ３８がコントロールユニット３６によって制御されてステップ１０８へ移行する。すなわち、レベル１に対応する家電機器４４へ電力供給されるようにスイッチ３８がオンされる。
【００４３】
ステップステップ１０８では、蓄電池１８の残量レベルがレベル２か否か判定される。該判定は、例えば、図３のテーブルの蓄電池１８の残量に従って判定され、該判定が肯定された場合にはステップ１１０へ移行し、否定された場合にはステップ１１２へ移行する。
【００４４】
ステップ１１０では、レベル２に対応する家電機器４４へ電力が供給されるようにスイッチ３８がコントロールユニット３６によって制御されてステップ１２０へ移行する。すなわち、レベル２に対応する家電機器４４へ電力供給されるようにスイッチ３８がオンされる。
【００４５】
一方、ステップ１１２では、レベル３に対応する家電機器４４へ電力が供給されるようにスイッチ３８がコントロールユニット３６によって制御されてステップ１１４へ移行する。すなわち、レベル３に対応する家電機器４４へ電力供給されるようにスイッチ３８がオンされる。
【００４６】
ステップ１１４では、蓄電池１８の残量検出結果が再び分配制御装置２０から取得されてステップ１１６へ移行する。
【００４７】
ステップ１１６では、残量が所定値以下か判定される。該判定は、蓄電池１８の残量がない又は少ないか否かを残量が所定値以下か否かを判定することにより判定し、該判定が肯定された場合にはステップ１１８へ移行し、否定された場合にはステップ１２０へ移行する。
【００４８】
ステップ１１８では、蓄電池１８以外の他の電力を家電機器４４へ供給するように制御されてステップ１２０へ移行する。本実施の形態では、コントロールユニット３６が分配制御装置２０を制御することにより、他の電力として、太陽光発電装置１４の発電電力、車両用蓄電池２８の蓄電電力、及び商用電源２２からの電力の少なくとも１つの電力を家電機器４４へ供給するように制御する。
【００４９】
ステップ１２０では、携帯電話４２が未検出となったか否か判定される。該判定は携帯電話検知センサ４０によって各住宅３０内で携帯電話４２の電波を検知されなくなったか否かを判定することにより、不在になったか否かを判定し、該判定が否定された場合にはステップ２１０２へ戻って上述の処理が繰り返され、判定が肯定された場合にはステップ１２２へ移行する。なお、ステップ１１８において電力供給源が他の電力に変更されてからステップ１０２へ戻って処理を行う場合には、蓄電池１８の残量が所定値を越えたところで電力供給源を蓄電池１８の蓄電電力に戻すようにしてもよい。
【００５０】
ステップ１２２では、スイッチがオフ、すなわち、入居者が不在になったので、家電機器４４の電力供給が遮断されてステップ１２４へ移行する。
【００５１】
ステップ１２４では、自動オンオフ制御の終了が指示されたか否か判定される。該判定は、例えば、コントロールユニット３６の操作部等が操作されて自動オンオフ制御の終了が指示されたか否か等を判定し、該判定が否定された場合にはステップ１００に戻って上述の処理が繰り返され、判定が肯定されたところで一連の処理を終了する。
【００５２】
次に、コントロールユニット３６で行われる上述の時間帯制御の具体的な処理について説明する。図５は、本発明の実施の形態に係わる電力供給システム１０のコントロールユニット３６で行われる時間帯制御の流れの一例を示すフローチャートである。なお、時間帯制御は、コントロールユニット３６の操作部等が操作されて時間帯制御が予め設定されている場合に行われるものとする。
【００５３】
ステップ２００では、朝モードか否か判定される。該判定は、予め定めた起床時間になったか否かを判定し、該判定が肯定された場合にはステップ２０２へ移行し、否定された場合にはステップ２０４へ移行する。
【００５４】
ステップ２０２では、コントロールユニット３６によってスイッチ３８が制御されて家電機器４４への電力供給が開始されてステップ２０４へ移行する。
【００５５】
ステップ２０４では、起床時間が監視されてステップ２０６へ移行する。起床時間の監視は、予め定めた起床時間よりも前の時間に家電機器４４への電力供給が行われたか否か等をコントロールユニット３６の操作部への操作や電力計３２の検出結果等から判断したり、起床時間よりも後に家電機器４４への電力供給が行われたか否かを電力計３２の検出結果等から判断することにより、予め定めた起床時間の変化を監視する。
【００５６】
ステップ２０６では、朝モードへの移行判定を行うための起床時間に変化があるか否か判定される。該判定は、例えば、ステップ２０４で監視した起床時間の所定期間の平均値を求めて、平均値が変化したか否か等を判定し、該判定が肯定された場合にはステップ２０８へ移行し、否定された場合にはステップ２１０へ移行する。
【００５７】
ステップ２０８では、ステップ２００の朝モードへの移行判定を行うための予め定められた起床時間が変更されてステップ２１０へ移行する。すなわち、起床時間を学習によって変更して自動的に更新する。なお、起床時間の変更が頻繁に行われないようにステップ２０６では、予め定めた範囲以上の変化があるか否かを判定して起床時間を変更するようにしてもよい。
【００５８】
ステップ２１０では、昼モードか否か判定される。該判定は、予め定めた昼時間になったか否かを判定し、該判定が肯定された場合にはステップ２１２へ移行し、否定された場合にはステップ２１４へ移行する。なお、コントロールユニット３６の操作部等が予め操作されて、自動オンオフ制御が解除されている場合にはステップ２００の判定が否定されるようにしてもよい。
【００５９】
ステップ２１２では、上述した自動オンオフ制御が行われてステップ２１４へ移行する。すなわち、携帯電波によって在室を検出し、在室している場合にはスイッチ３８をオンして家電機器４４への電力供給を行い、不在が検出された場合にはスイッチ３８をオフして家電機器４４への電力供給が遮断される。
【００６０】
なお、昼時間についてもステップ２０４の起床時間の監視と同様に監視して昼時間を学習によって変更するようにしてもよい。
【００６１】
ステップ２１４では、夜モードか否か判定される。該判定は、予め定めた就寝時間になったか否かを判定し、該判定が肯定された場合にはステップ２１６へ移行し、否定された場合にはステップ２１８へ移行する。
【００６２】
ステップ２１６では、コントロールユニット３６によってスイッチ３８が制御されて家電機器４４への電力供給が遮断されてステップ２１８へ移行する。
【００６３】
ステップ２１８では、就寝時間監視されてステップ２２０へ移行する。就寝時間の監視は、予め定めた就寝時間よりも前の時間に家電機器４４への電力供給が遮断されたか否かを電力計３２の検出結果等から判断したり、就寝時間よりも後に家電機器４４への電力供給が行われたか否かをコントロールユニット３６の操作部への操作や電力計３２の検出結果等から判断することにより、予め定めた就寝時間の変化を監視する。
【００６４】
ステップ２２０では、夜モードへの移行判定を行うための就寝時間に変化があるか否か判定される。該判定は、例えば、ステップ２１８で監視した就寝時間の所定期間の平均値を求めて、平均値が変化したか否かを判定し、該判定が肯定された場合にはステップ２２２へ移行し、否定された場合にはステップ２２４へ移行する。
【００６５】
ステップ２２２では、ステップ２１４の夜モードへの移行判定を行うための予め定められた就寝時間が変更されてステップ２２４へ移行する。すなわち、就寝時間を学習によって変更して自動的に更新する。なお、就寝時間の変更が頻繁に行われないようにステップ２２０では、予め定めた範囲以上の変化があるか否かを判定して就寝時間を変更するようにしてもよい。
【００６６】
ステップ２２４では、時間帯制御の終了が指示されたか否か判定される。該判定は、例えば、コントロールユニット３６の操作部等が操作されて時間帯制御の終了が指示されたか否か等を判定し、該判定が否定された場合にはステップ２００に戻って上述の処理が繰り返され、判定が肯定されたところで一連の処理を終了する。
【００６７】
なお、上記の実施の形態では、集合住宅１２への電力供給を制御する電力制御システムを一例として説明したが、集合住宅１２に限るものではなく、戸建てに適用するようにしてもよいし、他の建物を適用するようにしてもよい。
【００６８】
また、上記の実施の形態における、時間帯制御時の各モードへの移行判定するための時間（起床時間、昼時間、及び就寝時間）の学習は、所定期間毎の平均等を求めて学習する例を挙げたが、これに限るものではなく、例えば、１年毎に平均等を求めてまとめて更新するようにしてもよい。
【符号の説明】
【００６９】
１０    電力供給システム
１４    太陽光発電装置
１８    蓄電池
２０    分配制御装置
２２    商用電源
２４    充電スタンド
２６    自動車
２８    車両用蓄電池
３０    各住戸
３６    コントロールユニット
３８    スイッチ
４０    携帯電話検知センサ
４２    携帯電話
４４    家電機器
【図１】
2012244662.tif 000003
【図２】
2012244662.tif 000004
【図３】
2012244662.tif 000005
【図４】
2012244662.tif 000006
【図５】
2012244662.tif 000007